(57)【要約】  本発明に係る移動通信方法は、フェムトセル用無線基地局２０１において、優先移動局３００からのコネクション型通信用の制御チャネル設定要求を受け付けた場合、優先移動局３００に対して予約されている第１予約リソースを用いて優先移動局３００用の制御チャネルを確立する工程と、優先移動局３００用のデータチャネルを確立する工程と、非優先移動局３５０からのコネクション型通信用の制御チャネル設定要求を受け付けた場合、非予約リソースを用いて非優先移動局３５０用の制御チャネルを確立する工程と、非優先移動局３５０用のデータチャネルを確立する工程とを有する。
2010010895.tif 000002
【特許請求の範囲】
【請求項１】
フェムトセル用無線基地局における優先移動局からのコネクション型通信用の制御チャネル設定要求を受け付けた場合、該フェムトセル用無線基地局において、該優先移動局に対して予約されている第１予約リソースを用いて、該優先移動局用の制御チャネルを確立する工程Ａと、
確立された前記優先移動局用の制御チャネルを介して該優先移動局から送信されたコネクション型通信用のデータチャネル設定要求に応じて、前記フェムトセル用無線基地局において、該優先移動局用のデータチャネルを確立する工程Ｂと、
前記フェムトセル用無線基地局における非優先移動局からのコネクション型通信用の制御チャネル設定要求を受け付けた場合、該フェムトセル用無線基地局において、特定移動局に対して予約されていない非予約リソースを用いて、該非優先移動局用の制御チャネルを確立する工程Ｃと、
確立された前記非優先移動局用の制御チャネルを介して該非優先移動局から送信されたコネクション型通信用のデータチャネル設定要求に応じて、前記フェムトセル用無線基地局において、該非優先移動局用のデータチャネルを確立する工程Ｄとを有することを特徴とする移動通信方法。
【請求項２】
前記工程Ｂにおいて、前記フェムトセル用無線基地局において、データチャネル用のリソースに空きがない場合、前記優先移動局用のデータチャネルを確立せず、
前記工程Ｄにおいて、前記フェムトセル用無線基地局において、データチャネル用のリソースに空きがない場合、前記非優先移動局用のデータチャネルを確立しないことを特徴とする請求項１に記載の移動通信方法。
【請求項３】
前記フェムトセル用無線基地局において、異なる優先移動局に対して異なる予約リソースが予約されていることを特徴とする請求項１に記載の移動通信方法。
【請求項４】
フェムトセル用無線基地局における優先移動局からのコネクション型通信用の制御チャネル設定要求を受け付けた場合、該フェムトセル用無線基地局において、該優先移動局に対して予約されている第１予約リソースを用いて、該優先移動局用の制御チャネルを確立し、該フェムトセル用無線基地局における非優先移動局からのコネクション型通信用の制御チャネル設定要求を受け付けた場合、該フェムトセル用無線基地局において、特定移動局に対して予約されていない非予約リソースを用いて、該非優先移動局用の制御チャネルを確立するように指示する制御チャネル設定部と、
確立された前記優先移動局用の制御チャネルを介して該優先移動局から送信されたコネクション型通信用のデータチャネル設定要求に応じて、前記フェムトセル用無線基地局において、該優先移動局用のデータチャネルを確立し、確立された前記非優先移動局用の制御チャネルを介して該非優先移動局から送信されたコネクション型通信用のデータチャネル設定要求に応じて、前記フェムトセル用無線基地局において、該非優先移動局用のデータチャネルを確立するように指示するデータチャネル設定部とを具備することを特徴とするネットワーク装置。
【請求項５】
前記データチャネル設定部は、前記フェムトセル用無線基地局において、データチャネル用のリソースに空きがない場合、前記優先移動局用のデータチャネル及び前記非優先移動局用のデータチャネルを確立しないように指示することを特徴とする請求項４に記載のネットワーク装置。
【請求項６】
前記フェムトセル用無線基地局について、異なる優先移動局に対して異なる予約リソースを予約するように構成されているリソース管理部を更に具備することを特徴とする請求項４に記載のネットワーク装置。
【請求項７】
優先移動局からのコネクション型通信用の制御チャネル設定要求を受け付けた場合、該優先移動局に対して予約されている第１予約リソースを用いて、該優先移動局用の制御チャネルを確立し、非優先移動局からのコネクション型通信用の制御チャネル設定要求を受け付けた場合、特定移動局に対して予約されていない非予約リソースを用いて、該非優先移動局用の制御チャネルを確立するように構成されている制御チャネル設定部と、
確立された前記優先移動局用の制御チャネルを介して該優先移動局から送信されたコネクション型通信用のデータチャネル設定要求に応じて、該優先移動局用のデータチャネルを確立し、確立された前記非優先移動局用の制御チャネルを介して該非優先移動局から送信されたコネクション型通信用のデータチャネル設定要求に応じて、該非優先移動局用のデータチャネルを確立するように構成されているデータチャネル設定部とを具備することを特徴とする無線基地局。
【請求項８】
前記データチャネル設定部は、データチャネル用のリソースに空きがない場合、前記優先移動局用のデータチャネル及び前記非優先移動局用のデータチャネルを確立しないように構成されていることを特徴とする請求項７に記載の無線基地局。
【請求項９】
異なる優先移動局に対して異なる予約リソースを予約するように構成されているリソース管理部を更に具備することを特徴とする請求項７に記載の無線基地局。
【発明の詳細な説明】
【技術分野】
【０００１】
本発明は、移動通信方法、ネットワーク装置及び無線基地局に関する。
【背景技術】
【０００２】
一般的に、移動通信システムは、公衆通信サービスを提供するマクロセル用無線基地局において、不規則に発生する移動局からの接続要求に公平的に応えるために、ある移動局からの接続要求を受信した時点で、当該移動局を収容するマクロセル用無線基地局の使用リソースが一定値を超えている場合、当該接続要求を拒否して当該移動局に対して他のマクロセル用無線基地局に接続要求を送信するように指示する受付処理等を実施していた。【０００３】
移動通信システムでは、かかる受付処理により、いち早くマクロセル用無線基地局に対して接続要求を送信した移動局が、かかるマクロセル用無線基地局のリソースを使用することができるという論理で公平性が保たれている。
【発明の概要】
【発明が解決しようとする課題】
【０００４】
近年、フェムトセル用無線基地局（Ｈｏｍｅ  ｅＮＢ）と呼ばれる家庭等の小規模なエリアに設置される無線基地局の運用方法について検討されている。【０００５】
かかるフェムトセル用無線基地局については、当該フェムトセル用無線基地局の所有者の移動局や当該所有者が指定するユーザの移動局が、当該フェムトセル用無線基地局を介して通信を行うと、通信料の割引サービス等の優遇装置が適用される可能性がある。【０００６】
そのような状況にも関らず、かかるフェムトセル用無線基地局において、上述のマクロセル用無線基地局における受付処理を行い、一般ユーザの移動局からの接続要求を優先して、当該フェムトセル用無線基地局の所有者の移動局や当該所有者が指定するユーザの移動局からの接続要求を拒否すると、当該フェムトセル用無線基地局の所有者や当該所有者が指定するユーザに与えられるはずの優遇措置を不当に侵害してしまうことになるという問題点があった。【０００７】
そこで、本発明は、上述の課題に鑑みてなされたものであり、フェムトセル用無線基地局において、当該フェムトセル用無線基地局の所有者や当該所有者が指定するユーザを優遇した適切な受付処理を行うことができる移動通信方法、ネットワーク装置及び無線基地局を提供することを目的とする。
【課題を解決するための手段】
【０００８】
本発明の第１の特徴は、移動通信方法であって、フェムトセル用無線基地局における優先移動局からのコネクション型通信用の制御チャネル設定要求を受け付けた場合、該フェムトセル用無線基地局において、該優先移動局に対して予約されている第１予約リソースを用いて、該優先移動局用の制御チャネルを確立する工程Ａと、確立された前記優先移動局用の制御チャネルを介して該優先移動局から送信されたコネクション型通信用のデータチャネル設定要求に応じて、前記フェムトセル用無線基地局において、該優先移動局用のデータチャネルを確立する工程Ｂと、前記フェムトセル用無線基地局における非優先移動局からのコネクション型通信用の制御チャネル設定要求を受け付けた場合、該フェムトセル用無線基地局において、特定移動局に対して予約されていない非予約リソースを用いて、該非優先移動局用の制御チャネルを確立する工程Ｃと、確立された前記非優先移動局用の制御チャネルを介して該非優先移動局から送信されたコネクション型通信用のデータチャネル設定要求に応じて、前記フェムトセル用無線基地局において、該非優先移動局用のデータチャネルを確立する工程Ｄとを有することを要旨とする。【０００９】
本発明の第２の特徴は、ネットワーク装置であって、フェムトセル用無線基地局における優先移動局からのコネクション型通信用の制御チャネル設定要求を受け付けた場合、該フェムトセル用無線基地局において、該優先移動局に対して予約されている第１予約リソースを用いて、該優先移動局用の制御チャネルを確立し、該フェムトセル用無線基地局における非優先移動局からのコネクション型通信用の制御チャネル設定要求を受け付けた場合、該フェムトセル用無線基地局において、特定移動局に対して予約されていない非予約リソースを用いて、該非優先移動局用の制御チャネルを確立するように指示する制御チャネル設定部と、前記フェムトセル用無線基地局において、確立された前記優先移動局用の制御チャネルを介して該優先移動局から送信されたコネクション型通信用のデータチャネル設定要求に応じて、前記フェムトセル用無線基地局において、該優先移動局用のデータチャネルを確立し、確立された前記非優先移動局用の制御チャネルを介して該非優先移動局から送信されたコネクション型通信用のデータチャネル設定要求に応じて、前記フェムトセル用無線基地局において、該非優先移動局用のデータチャネルを確立するように指示するデータチャネル設定部とを具備することを要旨とする。【００１０】
本発明の第３の特徴は、無線基地局であって、優先移動局からのコネクション型通信用の制御チャネル設定要求を受け付けた場合、該優先移動局に対して予約されている第１予約リソースを用いて、該優先移動局用の制御チャネルを確立し、非優先移動局からのコネクション型通信用の制御チャネル設定要求を受け付けた場合、特定移動局に対して予約されていない非予約リソースを用いて、該非優先移動局用の制御チャネルを確立するように構成されている制御チャネル設定部と、確立された前記優先移動局用の制御チャネルを介して該優先移動局から送信されたコネクション型通信用のデータチャネル設定要求に応じて、該優先移動局用のデータチャネルを確立し、確立された前記非優先移動局用の制御チャネルを介して該非優先移動局から送信されたコネクション型通信用のデータチャネル設定要求に応じて、該非優先移動局用のデータチャネルを確立するように構成されているデータチャネル設定部とを具備することを特徴とする。
【発明の効果】
【００１１】
以上説明したように、本発明によれば、フェムトセル用無線基地局において、当該フェムトセル用無線基地局の所有者や当該所有者が指定するユーザを優遇した適切な受付処理を行うことができる移動通信方法、ネットワーク装置及び無線基地局を提供することができる。
【図面の簡単な説明】
【００１２】
【図１】図１は、本発明の第１の実施形態に係る移動通信システムの全体構成図である。
【図２】図２は、本発明の第１の実施形態に係るネットワーク装置又はフェムトセル用無線基地局の機能ブロック図である。
【図３】図３は、本発明の第１の実施形態に係るネットワーク装置によって各移動局に対して予約されているリソースの一例を示す図である。
【図４】図４は、本発明の第１の実施形態に係るネットワーク装置によって各移動局に対して予約されているリソースの一例を示す図である。
【図５】図５は、本発明の第１の実施形態に係る移動通信システムの動作を示すシーケンス図である。
【図６】図６は、本発明の第１の実施形態に係るネットワーク装置の動作を示すフローチャートである。
【図７】図７は、本発明の変更例１に係る移動通信システムの動作を示すシーケンス図である。
【図８】図８は、本発明の変更例１に係るネットワーク装置の動作を示すフローチャートである。
【図９】図９は、本発明の変更例２に係る移動通信システムの動作を示すシーケンス図である。
【図１０】図１０は、本発明の変更例２に係るネットワーク装置の動作を示すフローチャートである。
【図１１】図１１は、本発明の第１の実施形態に係る移動通信システムの具体的な構成を示す図である。
【図１２】図１２は、本発明の変更例１に係る移動通信システムの具体的な構成を示す図である。
【図１３】図１３は、本発明の変更例１に係る移動通信システムの具体的な構成を示す図である。
【図１４】図１４は、本発明の変更例２に係る移動通信システムの具体的な構成を示す図である。
【発明を実施するための形態】
【００１３】
（本発明の第１の実施形態に係る移動通信システムの構成）
図１乃至図４を参照して、本発明の第１の実施形態に係る移動通信システムの構成について説明する。
【００１４】
図１に示すように、本実施形態に係る移動通信システムは、Ｗ-ＣＤＭＡ方式の移動通信システムであり、ネットワーク装置１００と、ゲートウェイ装置（ＳＧＷ：Ｓｅｃｕｒｉｔｙ  Ｇａｔｅｗａｙ）４００と、マクロセル用無線基地局２００と、フェムトセル用無線基地局２０１とを具備している。
【００１５】
マクロセル用無線基地局２００及びフェムトセル用無線基地局２０１は、ネットワーク装置１００に収容されている。
【００１６】
移動通信事業者ネットワーク（移動通信事業者の管理するＬＡＮ：Ｌｏｃａｌ  Ａｒｅａ  Ｎｅｔｗｏｒｋ）の境界線上には、ゲートウェイ装置４００が設置されている。
【００１７】
ゲートウェイ装置４００は、他のネットワークからの不正なアクセスから、移動通信事業者ネットワークを守るためのゲートウェイ装置であり、ゲートウェイ装置４００の認証処理により正規と認められたアクセスのみを、移動通信事業者ネットワークに通すことになる。
【００１８】
マクロセル用無線基地局２００は、移動通信事業者ネットワーク内に設けられている第１無線基地局であり、フェムトセル用無線基地局２０１は、移動通信事業者ネットワーク外のユーザネットワーク（移動通信事業者の加入ユーザによって管理されているネットワーク）に設けられている第２無線基地局である。
【００１９】
例えば、フェムトセル用無線基地局２０１は、上述の加入ユーザによって管理されているＬＡＮ内に設置され、ＦＴＴＨ（Ｆｉｂｅｒ  Ｔｏ  Ｔｈｅ  Ｈｏｍｅ）やＡＤＳＬ（Ａｓｙｍｍｅｔｒｉｃ  Ｄｉｇｉｔａｌ  Ｓｕｂｓｃｒｉｂｅｒ  Ｌｉｎｅ）等のアクセス回線事業者のネットワーク（固定回線事業者ネットワーク）を介して、移動通信事業者ネットワーク上に設置されているネットワーク装置１００に接続する。
【００２０】
本実施形態では、ネットワーク装置１００は、マクロセル用無線基地局２００及びフェムトセル用無線基地局２０１に対して、移動局３００等との間で通信を行うための無線リソース（周波数やコードや時間スロット）及び有線リソース（有線帯域）等を割り当てるように構成されている無線制御装置である。
【００２１】
図２に示すように、ネットワーク装置１００は、制御チャネル設定要求受信部１１と、リソース管理部１２と、受付処理部１３と、制御チャネル設定部１４と、データチャネル設定要求受信部１５と、データチャネル設定部１６とを具備している。
【００２２】
制御チャネル設定要求受信部１１は、制御チャネル設定要求を受信するように構成されている。例えば、制御チャネル設定要求受信部１１は、フェムトセル用無線基地局２０１における優先移動局３００乃至３２０や非優先移動局３５０から送信された制御チャネル設定要求を受信するように構成されている。
【００２３】
ここで、優先移動局３００乃至３２０は、フェムトセル用無線基地局２０１の所有者の移動局或いは当該所有者によって指定されたユーザの移動局として登録されている移動局である。一方、非優先移動局は、フェムトセル用無線基地局２０１の所有者の移動局或いは当該所有者によって指定されたユーザの移動局として登録されていない移動局である。
【００２４】
また、制御チャネル設定要求は、当該制御チャネル設定要求の発信元の移動局が特定の無線基地局（例えば、マクロセル用無線基地局又はフェムトセル用無線基地局）との間で個別制御チャネルを設定するように要求するための信号である。
【００２５】
例えば、制御チャネル設定要求は、コネクション型通信用の制御チャネル設定要求及びコネクションレス型通信用の制御チャネル設定要求を含む。ここで、コネクション型通信としては音声通信等が挙げられ、コネクションレス型通信としてはパケット通信等が挙げられる。
【００２６】
リソース管理部１２は、図３に示すように、各フェムトセル用無線基地局（例えば、フェムトセル用無線基地局２０１）について、各優先移動局３００乃至３２０に対して、予約リソースＡ乃至Ｃを予約するように構成されている。
【００２７】
ここで、予約リソースは、各フェムトセル用無線基地局と各移動局との間で通信を行うための無線リソース（周波数やコードや時間スロット）や有線リソース（フェムトセル用無線基地局のバックホール回線の有線帯域）やハードウェアリソース（フェムトセル用無線基地局のＣＰＵ占有率）等を示す。
【００２８】
図４に示すように、リソース管理部１２は、異なる優先移動局３００乃至３２０に対して異なる予約リソースＡ乃至Ｃを予約するように構成されていてもよい。すなわち、図４に示すように、各優先移動局３００乃至３２０に対して予約されている予約リソースの量（例えば、周波数帯域等）が異なっていてもよい。
【００２９】
なお、リソース管理部１２は、特定移動局に対して予約されていない非予約リソース内に、共有チャネル用リソースを管理していてもよい。ここで、共有チャネル用リソースは、コネクションレス型通信用の制御チャネル及びデータチャネルを設定するための使用されるリソースである。
【００３０】
ここで、フェムトセル用無線基地局２０１の所有者が、移動局３００を用いて、所定のＷｅｂページにアクセスして、フェムトセル用無線基地局２０１における優先移動局や当該優先移動局に対する予約リソース等を、リソース管理部１２に登録することができる。
【００３１】
受付処理部１３は、無線基地局２００、２０１における無線リソース使用状況や有線リソース使用状況やハードウェアリソース使用率等のリソース使用状況に基づいて、上述の制御チャネル設定要求に対する受付判定処理を行うように構成されている。
【００３２】
具体的には、受付処理部１３は、フェムトセル用無線基地局２０１における優先移動局３００からコネクション型通信用の制御チャネル設定要求を受信した場合、フェムトセル用無線基地局２０１において、当該優先移動局３００に対して予約されている予約リソースＡ或いは非予約リソースに空きがあるか否かに基づいて、当該制御チャネル設定要求を受け付けるか否かについて判定するように構成されている。
【００３３】
すなわち、受付処理部１３は、フェムトセル用無線基地局２０１において、予約リソースＡ或いは非予約リソースに空きがある場合、当該コネクション型通信用の制御チャネル設定要求を受け付け、フェムトセル用無線基地局２０１において、予約リソースＡ及び非予約リソースに空きがない場合、当該コネクション型通信用の制御チャネル設定要求を受け付けないように構成されている。
【００３４】
また、受付処理部１３は、フェムトセル用無線基地局２０１における非優先移動局３５０からコネクション型通信用の制御チャネル設定要求を受信した場合、非予約リソースに空きがあるか否かに基づいて、当該制御チャネル設定要求を受け付けるか否かについて判定するように構成されている。
【００３５】
すなわち、受付処理部１３は、フェムトセル用無線基地局２０１において、非予約リソースに空きがある場合、当該コネクション型通信用の制御チャネル設定要求を受け付け、フェムトセル用無線基地局２０１において、非予約リソースに空きがない場合、当該コネクション型通信用の制御チャネル設定要求を受け付けないように構成されている。
【００３６】
また、受付処理部１３は、フェムトセル用無線基地局２０１における優先移動局３００乃至３２０及び非優先移動局３５０からコネクションレス型通信用の制御チャネル設定要求を受信した場合、共有チャネル用リソースに空きがあるか否かに基づいて、当該制御チャネル設定要求を受け付けるか否かについて判定するように構成されている。
【００３７】
すなわち、受付処理部１３は、フェムトセル用無線基地局２０１において、共有チャネル用リソースに空きがある場合、当該コネクションレス型通信用の制御チャネル設定要求を受け付け、フェムトセル用無線基地局２０１において、共有チャネル用リソースに空きがない場合、当該コネクションレス型通信用の制御チャネル設定要求を受け付けないように構成されている。
【００３８】
制御チャネル設定部１４は、受付処理部１３によって制御チャネル設定要求が受け付けられた場合、当該制御チャネル設定要求に係る移動局と無線基地局との間で制御チャネルを設定するように指示する。
【００３９】
具体的には、受付処理部１３が、フェムトセル用無線基地局２０１における優先移動局３００からのコネクション型通信用の制御チャネル設定要求を受け付けた場合、制御チャネル設定部１４は、フェムトセル用無線基地局２０１或いは優先移動局３００に対して、制御チャネル確保要求或いは制御チャネル指示を送信することによって、フェムトセル用無線基地局２０１において、優先移動局３００に対して予約されている予約リソースＡ（第１予約リソース）を用いて、優先移動局３００用の制御チャネルを確立するように指示する。
【００４０】
また、受付処理部１３が、フェムトセル用無線基地局２０１における非優先移動局３５０からのコネクション型通信用の制御チャネル設定要求を受け付けた場合、制御チャネル設定部１４は、フェムトセル用無線基地局２０１或いは非湯銭移動局３５０に対して、制御チャネル確保要求或いは制御チャネル指示を送信することによって、フェムトセル用無線基地局２０１において、非予約リソースを用いて、非優先移動局３５０用の制御チャネルを確立するように指示する。
【００４１】
さらに、受付処理部１３が、フェムトセル用無線基地局２０１における優先移動局３００及び非優先移動局３５０からのコネクションレス型通信用の制御チャネル設定要求を受け付けた場合、制御チャネル設定部１４は、フェムトセル用無線基地局２０１或いは移動局３００、３５０に対して、制御チャネル確保要求或いは制御チャネル指示を送信することによって、フェムトセル用無線基地局２０１において、共有チャネル用リソースを用いて、コネクションレス型通信用の制御チャネルを確立するように指示する。
【００４２】
データチャネル設定要求受信部１５は、データチャネル設定要求を受信するように構成されている。例えば、データチャネル設定要求受信部１５は、確立された制御チャネルを介してフェムトセル用無線基地局２０１における優先移動局３００乃至３２０や非優先移動局３５０から送信されたデータチャネル設定要求を受信するように構成されている。
【００４３】
データチャネル設定部１６は、優先移動局３００用の制御チャネルを介して優先移動局３００から送信されたデータチャネル設定要求に応じて、優先移動局３００用のデータチャネル（コネクション型通信用及びコネクションレス型通信用）を確立するように指示する。
【００４４】
また、データチャネル設定部１６は、非優先移動局３５０用の制御チャネルを介して非優先移動局３５０から送信されたデータチャネル設定要求に応じて、非優先移動局３５０用のデータチャネル（コネクション型通信用及びコネクションレス型通信用）を確立するように指示する。
【００４５】
なお、データチャネル設定部１６は、データチャネル用のリソースに空きがない場合、優先移動局３００用の制御チャネル或いは非優先移動局３５０用の制御チャネルが確立されている場合であっても、優先移動局３００用のデータチャネル或いは非優先移動局３５０用のデータチャネルを確立しないように構成されている。
【００４６】
ここで、データチャネル設定部１６は、優先移動局３００用のデータチャネルを設定する際に、データチャネル用のリソースとして、上述の予約リソース内のリソースを用いてもよいし、上述の非予約リソース（例えば、共有チャネル用リソース）内のリソースを用いてもよい。
【００４７】
また、データチャネル設定部１６は、非優先移動局３５０用のデータチャネルを設定する際に、データチャネル用のリソースとして、上述の非予約リソース（例えば、共有チャネル用リソース）内のリソースを用いる。
【００４８】
（本発明の第１の実施形態に係る移動通信システムの動作）
図５乃至図６を参照して、本発明の第１の実施形態に係る移動通信システムの動作について説明する。
【００４９】
図５に示すように、ステップＳ１００１において、移動局３００が、フェムトセル用無線基地局２０１を介して、ネットワーク装置（例えば、無線制御装置）１００に対して、コネクション型通信用の制御チャネル設定要求を送信する。
【００５０】
ステップＳ１００２において、ネットワーク装置１００が、かかるコネクション型通信用の制御チャネル設定要求を受け付けるか否かについて判定する。
【００５１】
ネットワーク装置１００は、かかるコネクション型通信用の制御チャネル設定要求を受け付けると判定した場合、ステップＳ１００３において、移動局３００に対する制御チャネル用のリソースを確保するように要求する制御チャネル確保要求を、フェムトセル用無線基地局２０１に対して送信する。
【００５２】
ステップＳ１００４において、フェムトセル用無線基地局２０１は、移動局３００に対して制御チャネル用のリソースを確保し、その旨を通知するための制御チャネル確保応答をネットワーク装置１００に対して送信する。
【００５３】
ステップＳ１００５において、ネットワーク装置１００が、移動局３００に対して確保された制御チャネルを指示する制御チャネル指示を、移動局３００に対して送信する。
【００５４】
ステップＳ１００６において、フェムトセル用無線基地局２０１と移動局３００との間で、制御チャネルが確立される。
【００５５】
ステップＳ１００７において、移動局３００が、フェムトセル用無線基地局２０１との間で確立された制御チャネルを介して、ネットワーク装置１００に対して、コネクション型通信用のデータチャネル設定要求を送信する。
【００５６】
ステップＳ１００８において、ネットワーク装置１００は、移動局３００に対するデータチャネル用のリソースを確保するように要求するデータチャネル確保要求を、フェムトセル用無線基地局２０１に対して送信する。
【００５７】
ステップＳ１００９において、フェムトセル用無線基地局２０１は、移動局３００に対するデータチャネル用のリソースを確保し、その旨を通知するためのデータチャネル確保応答をネットワーク装置１００に対して送信する。
【００５８】
ステップＳ１０１０において、ネットワーク装置１００が、移動局３００に対して確保されたデータチャネルの特定情報を指示するデータチャネル指示を移動局３００に対して送信する。
【００５９】
ステップＳ１０１１において、フェムトセル用無線基地局２０１と移動局３００との間で、データチャネルが確立される。
【００６０】
ここで、図６を参照して、ステップＳ１００２においてネットワーク装置１００がコネクション型通信用の制御チャネル設定要求を受け付けるか否かについて判定する動作について説明する。
【００６１】
ステップＳ１０１において、ネットワーク装置１０１は、当該制御チャネル設定要求がフェムトセル用無線基地局２０１を経由して受信されたものであるか否かについて判定する。
【００６２】
ネットワーク装置１００は、ステップＳ１０１において、当該制御チャネル設定要求がフェムトセル用無線基地局２０１を経由して受信されたものでないと判定した場合、ステップＳ１０２において、フェムトセル用無線基地局２０１において、非予約リソースに空きがあるか否かに基づいて、当該制御チャネル設定要求を受け付けるか否かについて判定する。
【００６３】
ネットワーク装置１００は、当該制御チャネル設定要求を受け付けると判定した場合、ステップＳ１０３において、上述の制御チャネル確保要求をフェムトセル用無線基地局２０１に送信する。
【００６４】
一方、ネットワーク装置１００は、当該制御チャネル設定要求を受け付けないと判定した場合、ステップＳ１０４において、その旨を示す拒絶応答をフェムトセル用無線基地局２０１に送信する。
【００６５】
また、ネットワーク装置１００は、ステップＳ１０１において、当該制御チャネル設定要求がフェムトセル用無線基地局２０１を経由して受信されたものであると判定した場合、ステップＳ１０５において、フェムトセル用無線基地局２０１において、当該制御チャネル設定要求の発信元である移動局３００に対して予約リソースが予約されているか否かについて判定する。
【００６６】
ネットワーク装置１００は、ステップＳ１０５において、移動局３００に対して予約リソースが予約されていると判定した場合、ステップＳ１０６において、フェムトセル用無線基地局２０１において、移動局３００の予約リソース及び非予約リソースに空きがあるか否かに基づいて、当該制御チャネル設定要求を受け付けるか否かについて判定する。
【００６７】
ネットワーク装置１００は、ステップＳ１０６において、当該制御チャネル設定要求を受け付けると判定した場合、ステップＳ１０７において、上述の制御チャネル確保要求をフェムトセル用無線基地局２０１に送信する。
【００６８】
一方、ネットワーク装置１００は、ステップＳ１０６において、当該制御チャネル設定要求を受け付けないと判定した場合、ステップＳ１０８において、その旨を示す拒絶応答をフェムトセル用無線基地局２０１に送信する。
【００６９】
また、ネットワーク装置１００は、ステップＳ１０５において、移動局３００に対して予約リソースが予約されていないと判定した場合、ステップＳ１０９において、フェムトセル用無線基地局２０１において、非予約リソースに空きがあるか否かに基づいて、当該制御チャネル設定要求を受け付けるか否かについて判定する。
【００７０】
ネットワーク装置１００は、ステップＳ１０９において、当該制御チャネル設定要求を受け付けると判定した場合、ステップＳ１１０において、上述の制御チャネル確保要求をフェムトセル用無線基地局２０１に送信する。
【００７１】
一方、ネットワーク装置１００は、ステップＳ１０９において、当該制御チャネル設定要求を受け付けないと判定した場合、ステップＳ１１１において、その旨を示す拒絶応答をフェムトセル用無線基地局２０１に送信する。
【００７２】
（本発明の第１の実施形態に係る移動通信システムの作用・効果）
本発明の第１の実施形態に係る移動通信システムによれば、フェムトセル用無線基地局２０１において、当該フェムトセル用無線基地局２０１の所有者や当該所有者が指定するユーザを優遇した適切な受付処理を行うことができる。
【００７３】
本発明の第１の実施形態に係る移動通信システムによれば、各フェムトセル用無線基地局の所有者の意図に応じて、各フェムトセル用無線基地局において、各優先移動局３００乃至３０２に対して予約するリソースＡ乃至Ｃの量を柔軟に変更することができる。
【００７４】
本発明の第１の実施形態に係る移動通信システムによれば、優先移動局に対して、コネクション型通信用の制御チャネルの設定に必要なリソースを予約するが、コネクションレス型通信用の制御チャネルの設定に必要なリソースについては予約しないため、優先移動局によるコネクション型通信を優遇しつつ、非優先移動局において使用可能なリソースを増やすことができる。
【００７５】
なお、図１１に、本発明の第1の実施形態に係る移動通信システムの具体的な構成の一例を示す。図１１に示す例では、交換局ＭＳＣ/ＳＧＳＮ、無線回線制御局ＲＮＣ及び集約装置ＨＮＢ-ＧＷが、上述のネットワーク装置１００を構成する。
【００７６】
ここで、フェムトセル用無線基地局２０１は、集約装置ＨＮＢ-ＧＷの代わりに、無線回線制御局ＲＮＣに収容されてもよい。
【００７７】
すなわち、図２に示すネットワーク装置１００の構成の一部又は全部が、交換局ＭＳＣ/ＳＧＳＮ、無線回線制御局ＲＮＣ及び集約装置ＨＮＢ-ＧＷのいずれかに設けられている。
【００７８】
（変更例１）
以下、図７及び図８を参照して、本発明の変更例１に係る移動通信システムについて、上述の第１の実施形態に係る移動通信システムとの相違点に着目して説明する。
【００７９】
上述の第１の実施形態に係る移動通信システムでは、ネットワーク装置１００が、上述の制御チャネル設定要求に対する受付判定処理を行うように構成されているのに対して、本変更例１に係る移動通信システムでは、フェムトセル用無線基地局２０１が、上述の制御チャネル設定要求に対する受付判定処理を行うように構成されている。
【００８０】
図７及び図８を参照して、本変更例１に係る移動通信システムの動作について説明する。
【００８１】
図７に示すように、ステップＳ１００１において、移動局３００が、フェムトセル用無線基地局２０１を介して、ネットワーク装置（例えば、無線制御装置）１００に対して、コネクション型通信用の制御チャネル設定要求を送信する。
【００８２】
ステップＳ１００３において、ネットワーク装置１００が、移動局３００に対する制御チャネル用のリソースを確保するように要求する制御チャネル確保要求を、フェムトセル用無線基地局２０１に対して送信する。
【００８３】
ステップＳ１００３Ａにおいて、フェムトセル用無線基地局２０１が、受信した制御チャネル確保要求に応じて、上述のコネクション型通信用の制御チャネル設定要求を受け付けるか否かについて判定する。
【００８４】
フェムトセル用無線基地局２０１は、かかるコネクション型通信用の制御チャネル設定要求を受け付けると判定した場合、ステップＳ１００４において、移動局３００に対して制御チャネル用のリソースを確保し、その旨を通知するための制御チャネル確保応答をネットワーク装置１００に対して送信する。
【００８５】
以下、ステップＳ１００５乃至ステップＳ１０１１の動作は、図５に示すステップＳ１００５乃至ステップＳ１０１１の動作の動作と同一である。
【００８６】
ここで、図８を参照して、ステップＳ１００３Ａにおいてフェムトセル用無線基地局２０１がコネクション型通信用の制御チャネル設定要求を受け付けるか否かについて判定する動作について説明する。
【００８７】
ステップＳ２０１において、フェムトセル用無線基地局２０１は、ネットワーク装置１００から受信したコネクション確保要求に応じて、上述の制御チャネル設定要求の発信元である移動局３００に対して予約リソースが予約されているか否かについて判定する。
【００８８】
フェムトセル用無線基地局２０１は、ステップＳ２０１において、移動局３００に対して予約リソースが予約されていると判定した場合、ステップＳ２０２において、移動局３００の予約リソース及び非予約リソースに空きがあるか否かに基づいて、当該制御チャネル設定要求を受け付けるか否かについて判定する。
【００８９】
フェムトセル用無線基地局２０１は、ステップＳ２０２において、当該制御チャネル設定要求を受け付けると判定した場合、ステップＳ２０３において、上述の制御チャネル確保応答をネットワーク装置１００に送信する。
【００９０】
一方、フェムトセル用無線基地局２０１は、ステップＳ２０２において、当該制御チャネル設定要求を受け付けないと判定した場合、ステップＳ２０３において、その旨を示す拒絶応答をネットワーク装置１００に送信する。
【００９１】
また、フェムトセル用無線基地局２０１は、ステップＳ２０１において、移動局３００に対して予約リソースが予約されていないと判定した場合、ステップＳ２０５において、非予約リソースに空きがあるか否かに基づいて、当該制御チャネル設定要求を受け付けるか否かについて判定する。
【００９２】
フェムトセル用無線基地局２０１は、ステップＳ２０５において、当該制御チャネル設定要求を受け付けると判定した場合、ステップＳ２０６において、上述の制御チャネル確保要求をネットワーク装置１００に送信する。
【００９３】
一方、フェムトセル用無線基地局２０１は、ステップＳ２０５において、当該制御チャネル設定要求を受け付けないと判定した場合、ステップＳ２０７において、その旨を示す拒絶応答をネットワーク装置１００に送信する。
【００９４】
なお、図１２に、本変更例１に係る移動通信システム（ＷＣＤＭＡ方式の移動通信システムの場合）の具体的な構成の一例を示す。図１２に示す例では、フェムトセル用無線基地局２０１は、交換局ＭＳＣ/ＳＧＳＮを経由することなく、ＩＭＳ（ＩＰ  Ｍｕｌｔｉｍｅｄｉａ  Ｓｕｂｓｙｓｔｅｍ）に直接収容されるように構成されている。
【００９５】
また、図１３に、本変更例１に係る移動通信システム（ＬＴＥ方式の移動通信システムの場合）の具体的な構成の一例を示す。図１３に示す例では、フェムトセル用無線基地局２０１は、交換局ＭＭＥを経由することなく、ＩＭＳ（ＩＰ  Ｍｕｌｔｉｍｅｄｉａ  Ｓｕｂｓｙｓｔｅｍ）に直接収容されるように構成されている。
【００９６】
（変更例２）
以下、図９及び図１０を参照して、本発明の変更例２に係る移動通信システムについて、上述の第１の実施形態に係る移動通信システムとの相違点に着目して説明する。
【００９７】
上述の第１の実施形態では、Ｗ-ＣＤＭＡ方式の移動通信システムを例に挙げて説明されているが、本変更例２では、ＬＴＥ（Ｌｏｎｇ  Ｔｅｒｍ  Ｅｖｏｌｕｔｉｏｎ）方式の移動通信システムを例に挙げて説明する。
【００９８】
一般的に、ＬＴＥ方式の移動通信システムでは、無線基地局及び交換局ＭＭＥ（Ｍｏｂｉｌｉｔｙ  Ｍａｎａｇｅｍｅｎｔ  Ｅｎｔｉｔｙ）が、上述のネットワーク装置１００の役割を果たすように構成されている。ここで、本変更例に係る移動通信システムでは、図２に示すネットワーク装置１００の機能は、フェムトセル用無線基地局２０１に搭載されることになる。
【００９９】
図９乃至図１０を参照して、本変更例２に係る移動通信システムの動作について説明する。
【０１００】
図９に示すように、ステップＳ２００１において、移動局３００が、フェムトセル用無線基地局２０１に対して、コネクション型通信用の制御チャネル設定要求を送信する。
【０１０１】
ステップＳ２００２において、フェムトセル用無線基地局２０１が、かかるコネクション型通信用の制御チャネル設定要求を受け付けるか否かについて判定する。
【０１０２】
フェムトセル用無線基地局２０１は、かかるコネクション型通信用の制御チャネル設定要求を受け付けると判定した場合、ステップＳ２００３において、移動局３００に対して制御チャネル用のリソースを確保し、かかる制御チャネルを指示する制御チャネル指示を、移動局３００に対して送信する。
【０１０３】
ステップＳ２００４において、フェムトセル用無線基地局２０１と移動局３００との間で、制御チャネルが確立される。
【０１０４】
ステップＳ２００５において、移動局３００が、フェムトセル用無線基地局２０１との間で確立された制御チャネルを介して、フェムトセル用無線基地局２０１に対して、コネクション型通信用のデータチャネル設定要求を送信する。
【０１０５】
ステップＳ２００６において、フェムトセル用無線基地局２０１は、移動局３００に対するデータチャネル用のリソースを確保し、かかるデータチャネルの特定情報を指示するデータチャネル指示を移動局３００に対して送信する。
【０１０６】
ステップＳ２００７において、フェムトセル用無線基地局２０１と移動局３００との間で、データチャネルが確立される。
【０１０７】
ここで、図１０を参照して、ステップＳ２００２においてフェムトセル用無線基地局２０１がコネクション型通信用の制御チャネル設定要求を受け付けるか否かについて判定する動作について説明する。
【０１０８】
ステップＳ３０１において、フェムトセル用無線基地局２０１は、移動局３００から受信した制御チャネル設定要求の発信元である移動局３００に対して予約リソースが予約されているか否かについて判定する。
【０１０９】
フェムトセル用無線基地局２０１は、ステップＳ３０１において、移動局３００に対して予約リソースが予約されていると判定した場合、ステップＳ３０２において、移動局３００の予約リソース及び非予約リソースに空きがあるか否かに基づいて、当該制御チャネル設定要求を受け付けるか否かについて判定する。
【０１１０】
フェムトセル用無線基地局２０１は、ステップＳ３０２において、当該制御チャネル設定要求を受け付けると判定した場合、ステップＳ３０３において、上述の制御チャネル確保応答を移動局３００に送信する。
【０１１１】
一方、フェムトセル用無線基地局２０１は、ステップＳ３０２において、当該制御チャネル設定要求を受け付けないと判定した場合、ステップＳ３０３において、その旨を示す拒絶応答を移動局３００に送信する。
【０１１２】
また、フェムトセル用無線基地局２０１は、ステップＳ３０１において、移動局３００に対して予約リソースが予約されていないと判定した場合、ステップＳ３０５において、非予約リソースに空きがあるか否かに基づいて、当該制御チャネル設定要求を受け付けるか否かについて判定する。
【０１１３】
フェムトセル用無線基地局２０１は、ステップＳ３０５において、当該制御チャネル設定要求を受け付けると判定した場合、ステップＳ３０６において、上述の制御チャネル確保要求を移動局３００に送信する。
【０１１４】
一方、フェムトセル用無線基地局２０１は、ステップＳ３０５において、当該制御チャネル設定要求を受け付けないと判定した場合、ステップＳ３０７において、その旨を示す拒絶応答を移動局３００に送信する。
【０１１５】
なお、図１４に、本変更例２に係る移動通信システムの具体的な構成の一例を示す。図１４に示す例では、交換局ＭＭＥ及び集約装置ＨｅＮＢ-ＧＷが、上述のネットワーク装置１００を構成する。
【０１１６】
ここで、フェムトセル用無線基地局２０１は、集約装置ＨＮＢ-ＧＷの代わりに、交換局ＭＭＥに収容されてもよい。
【０１１７】
すなわち、図２に示すネットワーク装置１００の構成の一部又は全部が、交換局ＭＭＥ及び集約装置ＨｅＮＢ-ＧＷのいずれかに設けられている。
【０１１８】
（変更例３）
上述の実施形態及び変更例に係る移動通信システムでは、ネットワーク装置１００或いはフェムトセル用無線基地局２０１が、制御チャネル設定要求を受け付けるか否かについて判定するように構成されていたが、本変更例３に係る移動通信システムでは、ネットワーク装置１００或いはフェムトセル用無線基地局２０１が、データチャネル設定要求を受け付けるか否かについて判定するように構成されている。
【０１１９】
なお、本変更例３に係る移動通信システムでは、ネットワーク装置１００或いはフェムトセル用無線基地局２０１が、制御チャネル設定要求を受け付けるか否かについて判定しないように構成されていてもよい。
【０１２０】
以上に述べた実施形態の特徴は、以下のように表現されていてもよい。
【０１２１】
本実施形態の第１の特徴は、移動通信方法であって、フェムトセル用無線基地局２０１における優先移動局３００からのコネクション型通信用の制御チャネル設定要求を受け付けた場合、フェムトセル用無線基地局２０１において、優先移動局３００に対して予約されている第１予約リソースＡを用いて、優先移動局３００用の制御チャネルを確立する工程Ａと、確立された優先移動局３００用の制御チャネルを介して優先移動局３００から送信されたコネクション型通信用のデータチャネル設定要求に応じて、フェムトセル用無線基地局２０１において、確立された優先移動局３００用の制御チャネルを用いて、優先移動局３００用のデータチャネルを確立する工程Ｂと、フェムトセル用無線基地局２０１における非優先移動局３５０からのコネクション型通信用の制御チャネル設定要求を受け付けた場合、確立された非優先移動局３５０用の制御チャネルを介して非優先移動局３５０から送信されたコネクション型通信用のデータチャネル設定要求に応じて、フェムトセル用無線基地局２０１において、特定移動局に対して予約されていない非予約リソースを用いて、非優先移動局３５０用の制御チャネルを確立する工程Ｃと、フェムトセル用無線基地局２０１において、確立された非優先移動局３５０用の制御チャネルを用いて、非優先移動局３５０用のデータチャネルを確立する工程Ｄとを有することを要旨とする。
【０１２２】
本実施形態の第１の特徴において、工程Ｂにおいて、フェムトセル用無線基地局２０１において、データチャネル用のリソースに空きがない場合、優先移動局３００用のデータチャネルを確立せず、工程Ｄにおいて、フェムトセル用無線基地局２０１において、データチャネル用のリソースに空きがない場合、非優先移動局３５０用のデータチャネルを確立しなくてもよい。
【０１２３】
本実施形態の第１の特徴において、フェムトセル用無線基地局２０１において、異なる優先移動局３００乃至３２０に対して異なる予約リソースＡ乃至Ｃが予約されていてもよい。
【０１２４】
本実施形態の第２の特徴は、ネットワーク装置１００であって、フェムトセル用無線基地局２０１における優先移動局３００からのコネクション型通信用の制御チャネル設定要求を受け付けた場合、フェムトセル用無線基地局２０１において、優先移動局３００に対して予約されている第１予約リソースＡを用いて、優先移動局３５０用の制御チャネルを確立し、フェムトセル用無線基地局２０１における非優先移動局３５０からのコネクション型通信用の制御チャネル設定要求を受け付けた場合、フェムトセル用無線基地局２０１において、特定移動局に対して予約されていない非予約リソースを用いて、非優先移動局３５０用の制御チャネルを確立するように指示する制御チャネル設定部１４と、確立された優先移動局３００用の制御チャネルを介して優先移動局３００から送信されたコネクション型通信用のデータチャネル設定要求に応じて、フェムトセル用無線基地局２０１において、確立された優先移動局３００用の制御チャネルを用いて、優先移動局３００用のデータチャネルを確立し、確立された非優先移動局３５０用の制御チャネルを介して非優先移動局３５０から送信されたコネクション型通信用のデータチャネル設定要求に応じて、フェムトセル用無線基地局２０１において、非優先移動局３５０用のデータチャネルを確立するように指示するデータチャネル設定部１６とを具備することを要旨とする。
【０１２５】
本実施形態の第２の特徴において、データチャネル設定部１６は、フェムトセル用無線基地局２０１において、データチャネル用のリソースに空きがない場合、優先移動局３００用のデータチャネル及び非優先移動局３５０用のデータチャネルを確立しないように構成されていてもよい。
【０１２６】
本実施形態の第２の特徴において、フェムトセル用無線基地局２０１について、異なる優先移動局３００乃至３２０に対して異なる予約リソースＡ乃至Ｃを予約するように構成されているリソース管理部１２を更に具備してもよい。
【０１２７】
本実施形態の第３の特徴は、フェムトセル用無線基地局２０１であって、優先移動局３００からのコネクション型通信用の制御チャネル設定要求を受け付けた場合、優先移動局３００に対して予約されている第１予約リソースＡを用いて、優先移動局３００用の制御チャネルを確立し、非優先移動局３５０からのコネクション型通信用の制御チャネル設定要求を受け付けた場合、特定移動局に対して予約されていない非予約リソースを用いて、非優先移動局３５０用の制御チャネルを確立するように構成されている制御チャネル設定部１４と、確立された優先移動局３００用の制御チャネルを介して優先移動局３００から送信されたコネクション型通信用のデータチャネル設定要求に応じて、優先移動局３００用のデータチャネルを確立し、確立された非優先移動局３５０用の制御チャネルを介して非優先移動局３５０から送信されたコネクション型通信用のデータチャネル設定要求に応じて、非優先移動局３５０用のデータチャネルを確立するように構成されているデータチャネル設定部１６とを具備することを要旨とする。
【０１２８】
本実施形態の第３の特徴において、データチャネル設定部１６は、データチャネル用のリソースに空きがない場合、優先移動局３００用のデータチャネル及び非優先移動局３５０用のデータチャネルを確立しないように構成されていてもよい。
【０１２９】
本実施形態の第３の特徴において、異なる優先移動局３００乃至３２０に対して異なる予約リソースＡ乃至Ｃを予約するように構成されているリソース管理部１２を更に具備してもよい。
【０１３０】
なお、上述のフェムトセル用無線基地局２０１やネットワーク装置１００の動作は、ハードウェアによって実施されてもよいし、プロセッサによって実行されるソフトウェアモジュールによって実施されてもよいし、両者の組み合わせによって実施されてもよい。
【０１３１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１３２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、フェムトセル用無線基地局２０１やネットワーク装置１００内に設けられていてもよい。また、かかる記憶媒体及びプロセッサは、ディスクリートコンポーネントとしてフェムトセル用無線基地局２０１やネットワーク装置１００内に設けられていてもよい。
【０１３３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
2010010895.tif 000003
【図２】
2010010895.tif 000004
【図３】
2010010895.tif 000005
【図４】
2010010895.tif 000006
【図５】
2010010895.tif 000007
【図６】
2010010895.tif 000008
【図７】
2010010895.tif 000009
【図８】
2010010895.tif 000010
【図９】
2010010895.tif 000011
【図１０】
2010010895.tif 000012
【図１１】
2010010895.tif 000013
【図１２】
2010010895.tif 000014
【図１３】
2010010895.tif 000015
【図１４】
2010010895.tif 000016
【国際調査報告】
2010010895.tif 000017
2010010895.tif 000018
2010010895.tif 000019
2010010895.tif 000020